(57)【要約】【課題】大型化を抑制可能な除菌装置を提供する。【解決手段】除菌液を収容するタンク１３と、タンク１３を支持する基台１１と、基台１１から上方へ向けて突出されたプレート形状の支持部１２と、タンク１３から除菌液を吸入して吐出するポンプ１４と、支持部１２に設けられ、かつ、ポンプ１４から吐出される除菌液をミスト状にして支持部１２の前方へ噴射する噴射ノズル１５と、を有する、除菌装置１０を構成した。【選択図】図２
0003234047.tif 000002
【実用新案登録請求の範囲】
【請求項１】
除菌液を収容するタンクと、
前記タンクを支持する基台と、
前記基台から上方へ向けて突出されたプレート形状の支持部と、
前記タンクから除菌液を吸入して吐出するポンプと、
前記支持部に設けられ、かつ、前記ポンプから吐出される除菌液をミスト状にして前記支持部の前方へ噴射する噴射ノズルと、
を有する、除菌装置。
【請求項２】
請求項１記載の除菌装置において、
前記ポンプの駆動及び停止を制御する制御部と、
除菌液を噴射する対象としての人が居るか居ないかを検出する人検出器と、
が設けられ、
前記制御部は、前記人検出器により人が居ることが検出されると、前記ポンプを駆動させて前記噴射ノズルから除菌液を噴射させる制御を行う、除菌装置。
【請求項３】
請求項２記載の除菌装置において、
前記制御部は、前記人検出器により検出される人の身長に基づいて、前記支持部の高さ方向における除菌液の噴射位置を調整する制御を行う、除菌装置。
【請求項４】
請求項２または３記載の除菌装置において、
空気中の二酸化炭素濃度を検出する二酸化炭素濃度検出器が設けられ、
前記制御部は、検出される二酸化炭素濃度が高くなることに伴い、前記噴射ノズルから噴射される除菌液の量を増加する制御を行う、除菌装置。
【考案の詳細な説明】
【技術分野】
【０００１】
本開示は、除菌液をミスト状にして空気中へ噴射する除菌装置に関する。
【背景技術】
【０００２】
除菌液をミスト状にして空気中へ噴射する除菌装置の一例が、特許文献１に記載されている。特許文献１に記載されている除菌装置は、アーチ形状の中空管状部材と、中空管状部材の下端にそれぞれ接続された柱状部材と、中空管状部材の長手方向に沿って間隔をおいて配置された噴霧ノズルとを有する。また、噴霧ノズルから噴霧する浄化材（除菌液）を貯留するカートリッジタンクと、カートリッジタンクにチューブを介して接続されたポンプと、ポンプを制御する制御手段とが、第１の柱状部材に設けられている。
【０００３】
さらに、第２の柱状部材に設けられた手動スイッチと、中空管状部材の下方に設けられ、かつ、重量器を有する敷物状部材と、を有する。制御手段は、重量器により所定以上の重量が検知されるとポンプを作動して、噴霧ノズルから所定量の浄化材を噴霧する。その後、手動スイッチが押されると、ポンプが作動して噴霧ノズルから所定量の浄化材を噴霧する機能を有する。
【先行技術文献】
【特許文献】
【０００４】
【特許文献１】特許第４４４６４９０号公報
【考案の概要】
【考案が解決しようとする課題】
【０００５】
本願考案者は、特許文献１に記載されている除菌装置は、アーチ形状の中空管状部材を２つの柱状部材によって支持しているため大型化する、という課題を認識した。
【０００６】
本開示の目的は、大型化を抑制可能な除菌装置を提供することにある。
【課題を解決するための手段】
【０００７】
本開示の除菌装置は、除菌液を収容するタンクと、前記タンクを支持する基台と、前記基台から上方へ向けて突出されたプレート形状の支持部と、前記タンクから除菌液を吸入して吐出するポンプと、前記支持部に設けられ、かつ、前記ポンプから吐出される除菌液をミスト状にして前記支持部の前方へ噴射する噴射ノズルと、を有する。
【考案の効果】
【０００８】
本開示によれば、除菌装置の大型化を抑制できる。
【図面の簡単な説明】
【０００９】
【図１】本開示の除菌装置の斜視図である。
【図２】除菌装置の正面図である。
【図３】除菌装置の側面図である。
【図４】除菌装置の平面図である。
【図５】除菌装置の制御系統を示すブロック図である。
【考案を実施するための形態】
【００１０】
以下、図面に基づいて、本開示の実施形態を説明する。以下の実施形態の構成は例示であり、除菌装置は実施形態の構成に限定されない。図１、図２、図３及び図４に示す除菌装置１０は、基台１１、プレート形状のパネル１２、タンク１３、ポンプ１４及び噴射ノズル１５を有する。基台１１は、一例として金属製であり、基台１１は平面視で、四角形、例えば、長方形、正方形等の形状を有する。基台１１の下部に複数、例えば、４つの脚部１６が設けられている。４つの脚部１６が、除菌装置１０の設置場所５０に接触されると、基台１１が略水平に保持される。
【００１１】
パネル１２は、正面視で四角形、例えば長方形のプレート１７と、プレート１７の周囲に取り付けられた枠部１８と、を有する。プレート１７は、金属製、合成樹脂製、木材製のうちの何れでもよい。枠部１８は、金属製または合成樹脂製であり、枠部１８は、プレート１７の外周縁の全体を覆うように取り付けられている。基台１１の上面から垂直に支柱１９が突出されている。支柱１９は、一例として金属製であり、パネル１２の裏面は、支柱１９に固定されている。
【００１２】
また、枠部１８にブラケット（金具）２０が取り付けられており、ブラケット２０は、基台１１に固定されている。ブラケット２０は、一例として金属製である。このように、支柱１９及びブラケット２０により支持されたパネル１２は、基台１１の上面から略垂直に立てられた状態で固定されている。脚部１６の下端から、パネル１２の上端までの高さＨ１は、一例として１８０ｃｍ〜２００ｃｍの範囲内である。また、パネル１２の横幅Ｌ１は、一例として４２０ｃｍ〜４５０ｃｍの範囲内である。
【００１３】
パネル１２の所定箇所、具体的にはプレート１７の横方向における略中央に、複数の噴射ノズル１５が取り付けられている。図１、図２及び図３は、噴射ノズル１５が上下方向（高さ方向）に間隔をおいて４個設けられている例を示す。４個の噴射ノズル１５は、供給される除菌液（除菌水）をミスト状にして空気中にそれぞれ噴射する要素である。
【００１４】
パネル１２の正面に案内表示部２１が設けられている。案内表示部２１は、除菌装置１０を利用する人２２に対し目視可能な情報を提供するために設けられている。案内表示部２１は、パネル１２の表面に記された文字、記号等であり、複数国の言語で表示されている。案内表示部２１には、例えば、「立ち位置に立ちますと、自動的に除菌液が噴射されます。」、「立ち位置で体を回転させてください。」、「除菌液の噴射時間は、１回あたり３秒から５秒です。」等の情報が表示されている。
【００１５】
タンク１３は、基台１１の上面に置かれている。タンク１３は、一例として合成樹脂製であり、複数、例えば２個のタンク１３が設けられている。２個のタンク１３には、除菌液がそれぞれ収容されている。除菌液は、殺菌機能、消毒機能、脱臭機能を有しており、除菌液として、例えば、水性安定化二酸化塩素を主成分とするもの、次亜塩素酸水等を用いることができる。
【００１６】
ポンプ１４は、２個のタンク１３にパイプまたはホースによってそれぞれ接続されている。ポンプ１４は、電動モータによって駆動されて、２個のタンク１３内の除菌液を別々に吸い込んで吐出する機構である。ポンプ１４の吐出口は、パイプまたはホースによって４個の噴射ノズル１５にそれぞれ接続されている。電動モータの回転速度に応じて、ポンプ１４から吐出される除菌液の圧力が変更される。
【００１７】
基台１１にカバー２３が取り付けられ、支柱１９にカバー２４が取り付けられている。カバー２３，２４は、一例として金属製である。カバー２４は、支柱１９を覆うように取り付けられており、カバー２３は、ポンプ１４、及びポンプ１４から噴射ノズル１５に至る供給経路、噴射ノズル１５のうち除菌液の噴射に影響しない箇所等を覆っている。カバー２３は基台１１に取り付けられており、カバー２３は、２個のタンク１３を覆っている。カバー２３，２４は、何れもねじ部材によって固定されており、ねじ部材を緩めることにより、カバー２３，２４を取り外すことができる。
【００１８】
図５は、除菌装置１０の制御系統を示すブロック図である。人検出器２５がパネル１２、または、パネル１２の近傍に設けられている。人検出器２５は、非接触で人２２を認識して各種の情報に応じた信号を出力する。人検出器２５は、立ち位置における人２２の有無を検出して信号を出力する機能を有する。また、人検出器２５は、立ち位置に居る人２２の体温を非接触で検出して信号を出力する機能を有していてもよい。
【００１９】
さらに、人検出器２５は、立ち位置に居る人２２の身長を非接触で検出して信号を出力する機能を有していてもよい。さらに、人検出器２５は、立ち位置に居る人２２の性別を非接触で検出して信号を出力する機能を有していてもよい。さらに、人検出器２５は、立ち位置に居る人２２の顔を認証して、同一人物であるか否かを識別する、顔認証機能を有していてもよい。人検出器２５としては、例えば赤外線カメラ、赤外線器が用いられている。
【００２０】
ポンプ１４から４個の噴射ノズル１５に至る供給経路をそれぞれ別々に開閉するバルブ２６が設けられている。バルブ２６として、例えば、電力の供給によって作動するソレノイドバルブが用いられている。例えば、ソレノイドバルブへの通電を行う割合であるデューティ比を制御することにより、噴射ノズル１５に対する除菌液の供給及び停止、噴射ノズル１５に対する除菌液の供給量、噴射ノズル１５に対する除菌液の供給圧力、等を制御可能である。
【００２１】
２個のタンク１３における除菌液の残量をそれぞれ検出して信号を出力する残量検出器２７が設けられている。さらに、２個のタンク１３と、ポンプ１４の吸入口との間に、切替バルブ２８が設けられている。切替バルブ２８は、２個のタンク１３の何れか一方を、ポンプ１４の吸入口に接続する方向切替弁である。切替バルブ２８として、例えば、ソレノイドバルブが用いられている。
【００２２】
さらに、４個の噴射ノズル１５が除菌液を噴射する向き、噴射範囲等を、それぞれ別個に調整するアクチュエータ２９が、支柱１９またはパネル１２に設けられている。除菌液の噴射向き及び噴射範囲は、パネル１２の高さ方向、パネル１２の幅方向（左右方向）におけるものである。アクチュエータ２９は、４個の噴射ノズル１５に対応してそれぞれ設けられている。噴射ノズル１５は、支持軸を中心として高さ方向に所定角度の範囲内で作動可能に設けられている。アクチュエータ２９は、電力の供給によって駆動されることにより、噴射ノズル１５を作動させる。これにより、高さ方向における噴射ノズル１５の噴射向き、及び噴射範囲が、それぞれ別々に調整される。アクチュエータ２９としては、例えばソレノイド、電動モータ等を用いることが可能である。
【００２３】
さらに、表示部３０がパネル１２自体、またはパネル１２の近傍に設けられている。表示部３０は、液晶ディスプレイ、ランプなどで構成されており、タンク１３における除菌液の残量、除菌液の補充アラート、人検出器２５による人の検出の有無、等の情報を表示する。
【００２４】
さらに、二酸化炭素濃度検出器３６がパネル１２に設けられている。二酸化炭素濃度検出器３６は、空気中の二酸化炭素濃度を検出して信号を出力する。さらに、空気中の湿度を検出して信号を出力する湿度検出器３４が、パネル１２に設けられている。さらに、通信部３７が、支柱１９またはパネル１２に設けられている。通信部３７は、外部機器３５との間で信号の送信及び受信を行うことが可能である。外部機器３５は、管理センターが有する固定型端末、携帯型端末等を含む。管理センターは、除菌装置１０を管理する部門である。固定型端末は、デスクトップ型パソコン、ノート型パソコンを含む。携帯型端末は、タブレット端末、スマートフォンを含む。
【００２５】
さらにまた、制御部３１が基台１１、または、支柱１９に設けられている。制御部３１は、入力ポート、出力ポート、演算処理部、記憶部、タイマー等を有するコンピュータである。制御部３１には、人検出器２５の信号、残量検出器２７の信号、二酸化炭素濃度検出器３６の信号、湿度検出器３４の信号、通信部３７の信号が入力される。制御部３１は、入力される信号、及び記憶部に記憶されているデータ及び情報に基いて、ポンプ１４、バルブ２６、切替バルブ２８、アクチュエータ２９及び表示部３０を制御する信号、通信部３７へ送信する信号を出力する。
【００２６】
さらにまた、除菌装置１０の設置場所５０であり、パネル１２の前方にマット３２が置かれる。マット３２は、一例として合成ゴム製、布製であり、マット３２の表面に人の立ち位置３３を示す足マークが表示されている。
【００２７】
つぎに、除菌装置１０の使用例及び制御例を説明する。人２２がマット３２の上を歩いて通過した場合、マット３２以外の箇所に立っていたり歩いている場合、制御部３１はポンプ１４を停止させている。これに対して、人２２が立ち位置３３で所定時間に亘って立っている、例えば、２秒以上連続して居ることが検出されると、制御部３１がポンプ１４を駆動させ、かつ、バルブ２６を開く。このため、タンク１３の除菌液は供給経路を通り、かつ、噴射ノズル１５からパネル１２の前方へ噴射される。具体的には、マイクロ微粒子化した微細バイオミストの状態で噴射され、人２２の衣服表面、髪、手等を除菌することができる。人２２は、立ち位置３３で体を回転させると、体の前面及び背面の全身を除菌できる。
【００２８】
制御部３１は、噴射ノズル１５から除菌液が噴射された時点から、３秒乃至５秒が経過すると、ポンプ１４を停止させ、かつ、バルブ２６を閉じる。立ち位置３３に居る人２２が、そのまま立ち位置３３に居る間、制御部３１は、ポンプ１４を停止させ、かつ、バルブ２６を閉じている。次いで、立ち位置３３に居る人２２が、立ち位置３３から他の場所へ移動し、他の人２２が立ち位置３３へ進入した状態で所定時間が経過すると、制御部３１は、ポンプ１４を駆動させ、かつ、バルブ２６を開く。前回、立ち位置３３に居た人２２と、今回、立ち位置３３に居る人２２とが同一人物であるか否かは、人検出器２５の顔認証機能により判断される。
【００２９】
このように、除菌装置１０は、基台１１が、タンク１３、ポンプ１４、パネル１２を支持し、パネル１２に噴射ノズル１５が設けられており、パネル１２は、基台１１から略垂直に立てられている。したがって、除菌装置１０が大型化することを抑制でき（コンパクト化）、かつ、除菌装置１０を持ち運び（運搬）することができる。
【００３０】
制御部３１は、人検出器２５の信号を処理することにより、人２２の前面と背面とを識別可能である。そして、制御部３１は、バルブ２６を制御することにより、人２２の前面に噴射される除菌液の量を、人２２の背面に噴射される除菌液の量より少なくすることが可能である。この制御が行われると、人２２の顔に噴射される除菌液の量を低減でき、人２２が不快感を持つことを抑制できる。
【００３１】
また、制御部３１は、立ち位置３３に居る人２２の性別に応じて、噴射される除菌液の量を変更することも可能である。例えば、立ち位置３３に居る人２２が女性である場合に噴射される除菌液の量を、立ち位置３３に居る人２２が男性である場合に噴射される除菌液の量より少なくする制御を行うことができる。この制御が行われると、除菌液が、女性の化粧、香水等に影響を及ぼすことを抑制できる。
【００３２】
さらに、制御部３１は、立ち位置３３に居る人２２の身長に応じて、除菌液を噴射する位置、つまり、高さを変更可能であり。除菌液を噴射する高さは、例えば、噴射ノズル１５の数を変更することで達成可能である。人２２の身長が高いほど、除菌液を噴射する噴射ノズル１５の数を増加する。除菌液を噴射する噴射ノズル１５の数は、バルブ２６の開閉により変更可能である。さらに、除菌液を噴射する高さは、除菌液を噴射する噴射ノズル１５の噴射範囲を変更することで達成してもよい。制御部３１は、立ち位置３３に居る人２２の身長に応じて、アクチュエータ２９を制御することにより、パネル１２の高さ方向における噴射ノズル１５の噴射範囲を変更可能である。
【００３３】
さらに、制御部３１は、検出される二酸化炭素濃度に応じて、噴射ノズル１５から噴射される除菌液の量を調整することも可能である。例えば、二酸化炭素濃度が高いほど、噴射ノズル１５から噴射される除菌液の量を増加する制御を行う。さらに、制御部３１は、検出される湿度に応じて、噴射ノズル１５から噴射される除菌液の量を調整することも可能である。例えば、湿度が高いほど、噴射ノズル１５から噴射される除菌液の量を減少させる制御を行う。本実施形態において、除菌液の噴射量を制御する方法は、除菌液を噴射する噴射ノズル１５の数を変更する方法と、１個当たりの噴射ノズル１５が噴射する除菌液の量を変更する方法と、がある。
【００３４】
さらに、制御部３１は、人検出器２５で検出された人２２の体温、検出される二酸化炭素濃度を、表示部３０で表示することも可能である。さらに、制御部３１は、タンク１３の除菌液の残量に応じて、除菌液の補充、タンク１３の交換を知らせる表示を、表示部３０に表示させることができる。また、制御部３１は、除菌液の補充、タンク１３の交換を知らせる情報を、外部機器３５へ送信することも可能である。さらに、制御部３１は、検出される二酸化炭素濃度が所定値（例えば、900ppm）以上である場合は、通信部３７から外部機器３５へ情報を送信可能である。管理センターは、除菌装置１０が設けられている空間の換気を行うことができる。
【００３５】
本実施形態で説明した装置は、図面を用いて説明したものに限定されない。例えば、表示部３０が、案内表示部２１に設けられていてもよい。制御部３１、ポンプ１４、アクチュエータ２９、バルブ２６、切替バルブ２８、表示部３０に電力を供給する電源は、交流電源または直流電源の何れでもよい。直流電源は、一次電池または二次電池の何れでもよい。また、「支持部の高さ方向における除菌液の噴射位置」は、除菌液の噴射範囲、除菌液の噴射向きを含む。さらに、脚部１６は、車輪付きのキャスタを備えていてもよい。除菌装置１０の高さＨ１、横幅Ｌ１は、任意に変更可能である。タンク１３の数は、単数でも複数でもよい。タンク１３は、３個以上設けられていてもよい。噴射ノズル１５の数は、３個以下でもよいし、５個以上でもよい。
【００３６】
実施形態で説明した構成の技術的意味の一例は、次の通りである。除菌装置１０は、除菌装置の一例である。タンク１３は、タンクの一例である。基台１１は、基台の一例である。パネル１２は、支持部の一例である。ポンプ１４は、ポンプの一例である。噴射ノズル１５は、噴射ノズルの一例である。制御部３１は、制御部の一例である。人検出器２５は、人検出器の一例である。二酸化炭素濃度検出器３６は、二酸化炭素濃度検出器の一例である。除菌装置は、バイオミストシャワースタンド、または、全身除菌装置と定義することも可能である。
【産業上の利用可能性】
【００３７】
本開示の除菌装置は、人が出入りする建物の通路等に設置することより、通行人の除菌に利用することが可能である。
【符号の説明】
【００３８】
１０…除菌装置、１１…基台、１２…パネル、１３…タンク、１４…ポンプ、１５…噴射ノズル、２５…人検出器、３１…制御部、３６…二酸化炭素濃度検出器
【図１】
0003234047.tif 000003
【図２】
0003234047.tif 000004
【図３】
0003234047.tif 000005
【図４】
0003234047.tif 000006
【図５】
0003234047.tif 000007